(57)【要約】【課題】  電磁波遮蔽及び静電気遮蔽機能を有し、強度に優れ、組立容易な差込型配線用モール乃至ＯＡ用モールを提供すること。【解決手段】  本体１とカバー５とから成る薄金属板製（鋼板製）の配線用モールであって、本体１は底板２と底板の幅方向の両側の内側に約３０度から６０度の範囲になるように折り曲げられ、底板２との間に差込部４，４を形成する差込側部３，３とを有し、カバー５は幅方向の断面形状がアーチ状に整形され、両端部６，６が本体１の差込部４，４に長さ方向にスライド可能に差込まれ、内部に中空の収納路７を形成するように、本体１と一体化されることを特徴とする。【選択図】        図１
2005065428.tif 000002
【特許請求の範囲】
【請求項１】
本体とカバーとから成る金属板製の配線用モールであって、本体は底板と底板の幅方向の両側の内側に底板に対して約３０度から６０度の範囲となるように折り曲げられた、底板との間に差込部を形成する差込側部とを有し、カバーは幅方向の断面形状がアーチ状に整形され、両端部が本体の差込部に長さ方向にスライド可能に差込まれ、内部に中空の収納路を形成するように、本体と一体化されることを特徴とする差込型配線用モール。
【請求項２】
前記金属板が鋼板であることを特徴とする請求項１記載の差込型配線用モール。
【請求項３】
前記本体の差込側部がカバーの幅方向の断面形状に合わせた形状になるように折り曲げられていることを特徴とする請求項１又は請求項２に記載の差込型配線用モール。
【請求項４】
モールの寸法は、底面の幅が約１００ｍｍ、高さが約２０ｍｍ、長さが約５００ｍｍ、又は約７００ｍｍであることを特徴とする請求項１乃至請求項３のいずれか１項に記載の差込型配線用モール。
【請求項５】
配線用モールは、ＯＡ用モールであることを特徴とする請求項１乃至請求項４のいずれか１項に記載の差込型配線用モール。
【発明の詳細な説明】
【技術分野】
【０００１】
本発明は、床面に電線を配線する際に電線を案内保護するための、電磁波遮蔽及び静電気遮蔽機能を有し、強度に優れ、組立容易な差込型配線用モールに関する。
【背景技術】
【０００２】
床面に配線した電線を案内保護する従来の配線ダクトとして、図２（ａ）の断面図に示すように係合凹部２３を有する本体２０と、係合御凹部２３に係合する係合部２４を有し、本体２０の開口部を閉塞するカバー２１とから成り、同図（ｂ）の斜視図に示すように電線１１を内部に収納して案内するように前後方向に長く形成されたものがある（例えば、特許文献１参照。）。
【０００３】
【特許文献１】特開２０００−９２６５０号公報
【発明の開示】
【発明が解決しようとする課題】
【０００４】
しかしこのような形状の配線ダクトは、プラスチック製であって、電磁波遮蔽及び静電気遮蔽機能がなく、また電線（電源線、ＬＡＮケーブルのような通信線等）を収納して床面に配設された配線ダクトの上を、重量物を積んだ台車が一日中何回も通過すると配線ダクトを潰してしまい、さらに収納されている電線をも駄目にしてしまうこととなり、このような配線ダクトを設置している店舗、事務室の配線系統、電子機器系統のダウンの原因となっていた。
本発明はこのような点に鑑み、電磁波遮蔽及び静電気遮蔽機能を有し、強度に優れ、組立容易な差込型配線用モール乃至ＯＡ用モールを提供することを目的とする。
【課題を解決するための手段】
【０００５】
上記目的を達成するために、本発明の差込型配線用モールは、本体１とカバー５とから成る金属板製であって、本体１は底板２と底板の幅方向の両側の内側に約３０度から６０度の範囲になるように折り曲げられ、底板２との間に差込部４，４を形成する差込側部３，３とを有し、カバー５は幅方向の断面形状がアーチ状に整形され、両端部６，６が本体１の差込部４，４に長さ方向にスライド可能に差込まれ、内部に中空の収納路７を形成するように、本体１と一体化されることを特徴とする。
【０００６】
また上記において、金属板が鋼板であることを特徴とする。
また上記において、本体１の差込側部３，３がカバー５の幅方向の断面形状に合わせた形状になるように折り曲げられていることを特徴とする。
さらに、寸法として、底面の幅が約１００ｍｍ、高さが約２０ｍｍ、長さが約５００ｍｍ、又は約７００ｍｍであることを特徴とする。
さらに配線用モールがＯＡ用モールであることを特徴とする。
【発明の効果】
【０００７】
本発明によれば、モールの形状及び材料からみて、このモールの上を重量物を積んだ台車が通過してもカバーが本体から外れることはなく、従ってモールが潰されることがないので、収納されている電線を重量物から安全に保護することができる。
【発明を実施するための最良の形態】
【０００８】
本発明の実施の形態を実施例にもとづき図面を参照して説明する。
図１は本発明の差込型配線用モールの断面図（ａ）と斜視図（ｂ）である。
１は本体で、底板２とその幅方向の両側の差込側部３，３とから成り、差込側部３，３は内側へ折り曲げられて底板２との間に差込部４，４を形成している。
５は幅方向の断面形状がアーチ状に整形されたカバーであり、その両端部６，６がそれぞれ本体１の差込部４，４に長さ方向にスライド可能に差込まれて、本体１との間に電線８の収納路７を形成する。
なお本体１の底板２には床面に接着するための剥離紙で被覆された接着剤が施されており、剥離紙を剥いで床面に押圧すれば接着固定できる。
【０００９】
本体１の差込側部３は単に折り曲げるのではなく、差込側部３の内周面がカバー５の端部６の外周面と面接触するようにカバー４の幅方向の断面形状に合わせた形状、即ちアーチ状になるように形成されるのがよい。これにより収納路７の内部への塵埃の侵入を少なくするができる。
そして本体１及びカバー５は、強度を考慮して例えば鋼板のような薄金属板により成形されるが、鋼板には限らない。
【００１０】
本体１にカバー５を取り付ける場合には、電線８を収納した状態で、先ずカバー５の一方の端部６を本体１の一方の差込部４に差込み、次いでカバー５を多少内側に折り曲げた状態で、他方の端部６を本体１の他方の差込部４に差込むようにするか、或いはカバー５を本体１の長さ方向から両端部６，６が本体１の差込部４，４に差込まれるように挿入すればよく、容易にカバー５を本体１に取り付け、一体化させることができる。
【００１１】
カバー５が本体１に差込まれた状態で、このモールの上を重量物を積んだ台車が通過しても潰されないように、カバー５の両端部６，６が本体１の差込部４，４から外れないように、差込側部３，３の折り返し角度を約３０度から６０度の範囲にするとよく、また折り返し長さもこの点を考慮する必要があり、これらをどの程度にするかは収納する電線の寸法に関連して決まるモールの寸法に応じて適宜に選定する必要がある。
【００１２】
モールの寸法としては、収納する電線の寸法に応じて適宜選定することができるが、例えばＬＡＮケーブルの場合は設置の点からみて、底面の幅が約１００ｍｍ、高さが約２０ｍｍ、長さが約５００ｍｍ、又は約７００ｍｍとするのがよい。
【産業上の利用可能性】
【００１３】
モールの形状が上記のとおりであり、またモールの材料が鋼板等の金属板であることにより、このモールの上を重量物を積んだ台車が通過してもカバー５が本体１から外れることはなく（耐荷重１００ｋｇ）、従ってモールが潰されることがないので、収納されている電線がその上を通過する重量物から安全に保護される。
【００１４】
またモールを金属板で形成したので、モール自体に電磁波遮蔽効果があり、これによりモール内部の電線がモールの外部にある電子機器、電線等から発生する電磁波による影響（障害、例えばノイズ）を防止することができ、その逆にモールの外部にある電子機器、電線等がモール内部の電線から発生する電磁波による影響（障害）を防止することができる。
【００１５】
同様にモール自体に静電気遮蔽効果があり、モールの内外で相互に静電気の放電に伴い発生するようなノイズによる障害を防止することができる。
【００１６】
またモールを金属板で形成したので、電磁波遮蔽効果及び静電気遮蔽効果があり、これによりモールの内外の電線、電子機器等の間で相互に影響（障害）を及ぼすことがない。
さらに本体にカバーを取り付けるのが容易であり、複数の電線を収納する場合でも、電線を噛みこむことがなく、容易に取り付けることができる。
【図面の簡単な説明】
【００１７】
【図１】本発明の差込型配線用モールの断面図（ａ）と斜視図（ｂ）。
【図２】従来の配線ダクトの断面図と斜視図。
【符号の説明】
【００１８】
１  本体
２  底板
３  差込側部
４  差込部
５  カバー
６  端部
７  収納路
８  電線
【図１】
2005065428.tif 000003
【図２】
2005065428.tif 000004